(57)【要約】【課題】誤った押さえを防止可能な安全フックを提供する。【解決手段】本考案による安全フックは、鉤形本体１０、リテーナ２０、および押さえ板３０を備える。鉤形本体１０は開口部１１を有する。リテーナ２０は、開口部１１に回転可能に結合され、鉤形本体１０の開口部１１をまたぐように延びて形成される延長板２１を有する。延長板２１は、滑り溝２１１と可動ピン２１２とを有する。可動ピン２１１は、鉤形本体１０の通穴１２に嵌合する。押さえ板３０は、鉤形本体１０の開口部１１と反対側に設けられ、滑り溝２１１に摺動可能なピン３１が貫通する。【選択図】図２
0003170942.tif 000002
【実用新案登録請求の範囲】
【請求項１】
開口部および通穴を有する鉤形本体と、
前記鉤形本体の前記開口部に回転可能に結合され、前記鉤形本体の前記開口部をまたぐように延びて形成され滑り溝および一端が前記鉤形本体の前記通穴に嵌合する可動ピンが設けられる延長板を有するリテーナと、
前記鉤形本体の前記開口部の反対側に設けられ、前記滑り溝に摺動可能なピンが貫通する押さえ板と、
を備えることを特徴とする安全フック。
【請求項２】
内壁に斜面を有する少なくとも一つの制限溝が設けられ、内壁から突出するように形成される取付部、および外壁に回転可能に閉めるねじ込み蓋を有するピン受けを備え、
前記可動ピンは、前記ピン受けに貫通し、一端に前記制限溝の前記斜面に沿って摺動可能な固定具が設けられ、
前記ねじ込み蓋は、少なくとも一つの前記固定具の端部を収容する固定溝を有し、
前記ねじ込み蓋を回すとき、前記固定具は、駆動されて前記制限溝の前記斜面に沿って摺動し、前記可動ピンは、前記通穴から引出され、または前記通穴に嵌合して固定されることを特徴とする請求項１記載の安全フック。
【請求項３】
前記鉤形本体の底部には、掛け金と結合可能な取り外し装置が設けられ、
前記取り外し装置は、前記鉤形本体に結合し外壁に複数の固定ボールが取り付けられる取り外し台と、前記取り外し台を貫通し外壁に収容溝が形成される押さえ具とを有し、
前記押さえ具は、安全ナットを螺設するためのねじ山を有し、
前記安全ナットは、回転して前記取り外し台に当接可能であり、
前記取り外し台および前記掛け金は、前記複数の固定ボールにより結合され、
前記押さえ具が押さえられたとき、前記複数の固定ボールは前記掛け金から離れ、前記取り外し台および前記掛け金は分離することを特徴とする請求項１記載の安全フック。
【考案の詳細な説明】
【技術分野】
【０００１】
本考案は、安全フックに関し、詳しくいえば、安全ほぞを備えた安全フックに関する。
【背景技術】
【０００２】
高所作業の作業者は、安全対策と規定により、特殊のロープを体に縛った上、安全フックにつないでおく。これにより、万が一のときに備え、安全フックによって支えておき、作業者の生命安全を保障する。従来の安全フック（図１に示す）は、本体１、押さえ板２、およびリテーナ３からなる。リテーナ３上に滑り溝４を設け、押さえ板２上に滑り溝４の内部に摺動可能なピン５を設ける。押さえ板２を押すことにより、ピン５を駆動して滑り溝４の内部に摺動させる。これにより、リテーナ３を押すことだけで、ロープを掛けるかまたは取り出すことが便利である。
【考案の概要】
【考案が解決しようとする課題】
【０００３】
しかし、従来の安全フックの押さえ板２が不適切な外力により押さえられまたは誤って押さえられたとき、リテーナ３が開放され、ロープが抜け出すことが引き起し、吊り下げ高所作業の作業者の生命安全に危険をもたらす恐れがある。そのため、安全フックを改良する必要がある。
【０００４】
前述問題の解決を図るため、本考案は、誤った押さえを防止可能な安全フックを提供することを目的とする。
【課題を解決するための手段】
【０００５】
上記目的を達成するため、本考案による安全フックは、鉤形本体、リテーナ、および押さえ板を備える。鉤形本体は、開口部および通穴を有する。リテーナは、鉤形本体の開口部に回転可能に結合され、鉤形本体の開口部をまたぐように延びて形成される延長板を有する。延長板は、滑り溝と可動ピンとを有する。可動ピンは、鉤形本体の通穴に嵌合することができる。押さえ板は、鉤形本体の開口部の反対側に設けられ、滑り溝に摺動可能なピンが貫通する。
【０００６】
（考案の効果）
本考案の第１の効果は、使用のとき、誤って押さえ板を押さえることによって、リテーナを駆動してロープが抜け出すことを防止することができる。これにより、第２の安全対策を構成し、使用者の生命安全を保障することができる。
【０００７】
本考案の第２の効果は、本考案による安全フックの可動ピンにより、操作が便利である。そのほか、高い安全性を有し、使用するときに外力の衝撃または作業者のタッチによって、移動することはない。
【０００８】
本考案の第３の効果は、本考案による安全フックの取外し装置により、押さえ具のねじ山に螺設された安全ナットは、回転して位置を調節し、取外し台に当接する。これにより、不意に押さえ具を押さえ、または安全ナットを不意に離すことを防止することができ、取外し装置および掛け金を迅速に取外して交換することができる。
【図面の簡単な説明】
【０００９】
【図１】従来の安全フックの正面図である。
【図２】本考案の一実施形態による安全フックの分解斜視図である。
【図３】本考案の一実施形態による安全フックの斜視図である。
【図４】本考案の一実施形態による安全フックの固定具の動作概略図（その１）である。
【図５】本考案の一実施形態による安全フックの固定具の動作概略図（その２）である。
【図６】本考案の一実施形態による安全フックの模式図（その１）である。
【図７】本考案の一実施形態による安全フックの模式図（その２）である。
【図８】本考案の一実施形態による安全フックの模式図（その３）である。
【図９】本考案の一実施形態による安全フックの安全ナットが締めつけられた状態を示す模式図である。
【図１０】本考案の一実施形態による安全フックの安全ナットが緩んだ状態を示す模式図である。
【図１１】本考案の一実施形態による安全フックの押さえ具が押さえられた状態を示す模式図である。
【考案を実施するための形態】
【００１０】
以下、本考案の一実施形態による安全フックを図面に基づいて説明する。
（一実施形態）
図２〜図９を参照する。本考案による安全フックは、主に、鉤形本体１０、リテーナ２０、および押さえ板３０を備える。鉤形本体１０は、開口部１１および通穴１２を有する。リテーナ２０は、開口部１１に回転可能に結合され、鉤形本体１０の開口部１１をまたぐように延びて形成される延長板２１を有する。延長板２１は、滑り溝２１１と可動ピン２１２とを有する。可動ピン２１２は、鉤形本体１０の通穴１２に嵌合することができる。
【００１１】
安全フックは、さらにピン受けを備える。可動ピン２１２は、ピン受け５０を貫通する。ピン受け５０は、内壁に斜面を有する少なくとも一つの制限溝５１が設けられている。可動ピン２１２は、一端に制限溝５１の斜面に沿って摺動可能な固定具２１３が設けられる。さらに、ピン受け５０は、内壁から突出するように形成される取付部５３、および外壁に回転可能に閉めるねじ込み蓋５２を有する。ねじ込み蓋５２は、少なくとも一つの固定具２１３の端部を収容可能な固定溝５２１を有する。ねじ込み蓋５２が回転するとき、固定具２１３を駆動して制限溝５１の斜面に沿って摺動させ、可動ピン２１２を通穴１２から引出すこと、または通穴１２に嵌合して固定することができる。押さえ板３０は、鉤形本体１０の開口部１１の反対側に設けられ、滑り溝２１１にて摺動可能なピン３１が貫通する。
【００１２】
さらに、鉤形本体１０の底部には、掛け金６０と結合可能な取り外し装置４０が設けられる。取り外し装置４０は、鉤形本体１０に結合する取り外し台４１と、取り外し台４１を貫通する押さえ具４２とを有する。取り外し台４１は、外壁に複数の固定ボール４１１が取り付けられる。押さえ具４２は、外壁に収容溝４２１が形成される。取り外し台４１および掛け金６０は、複数の固定ボール４１１により結合される。押さえ具４２が押さえられたとき、固定ボール４１１は掛け金６０から離れ、取り外し台４１と掛け金６０とは分離する。さらに、押さえ具４２は、安全ナット４３を螺設するためのねじ山４２２を有する。安全ナット４３は、回転してねじ山４２２上の位置を調節し、取り外し台４１に当接し、不意に押さえ具４２の押さえを防止することができる。
【００１３】
図４と図５とに示すように、使用者がロープを本実施形態による安全フックにつなぐとき、まず、ねじ込み蓋５２を回し、固定具２１３を駆動して制限溝５１の斜面に沿って摺動させ、可動ピン２１２を通穴１２から引出す。このとき、安全フックは、まだリテーナ２０を押さえてつないで使用することができない。滑り溝２１１に摺動可能なピン３１は、滑り溝２１１の一端に固定される（図６に示す）。リテーナ２０は、押さえられても、鉤形本体１０方向に移動することができない。
【００１４】
使用者は、押さえ板３０を押し、ピン３１を駆動して移動（図７に示す）させ、リテーナ２０を押さえて移動（図８に示す）させる。その後、押さえ板３０とリテーナ２０とを緩め、ねじ込み蓋５２を回し、固定具２１３を駆動して制限溝５１の斜面に沿って摺動させ、可動ピン２１２を通穴１２に嵌合させる。これにより、使用者が誤って押さえ板３０を押さえ、かつ制動ピン３１が駆動されても、通穴１２に嵌合して固定された可動ピン２１２により、リテーナ２０を押さえることや移動することができず、使用者の安全を有効的に確保することができる。
【００１５】
本実施形態による安全フックは、鉤形本体１０の底部に、掛け金６０と結合可能な取外し装置４０が設けられる。取外し装置４０は、様々な掛け金６０に適用することができる。太さが異なるロープをすばやく掛け金６０に貫通させ、掛け金６０および取外し台４１の結合作業が迅速にできる。さらに、結合された掛け金６０と取外し装置４０との分離を防止するため、安全ナット４３を押さえ具４２（図９に示す）に締め付ける。これにより、使用者が誤って押さえ具４２を押さえ、掛け金６０が取外し装置４０から分離し、離脱することを防止することができる。
【００１６】
使用者が掛け金６０を交換するとき、安全ナット４３を押さえ具４２のねじ山４２２の上端（図１０に示す）まで緩める。これにより、使用者は押さえ具４２を適切に押さえることができる。取外し台４１の外壁に取り付けられた複数の固定ボール４１１を押さえ具４２上に形成された収容溝４２１（図１１に示す）に引込み、取外し台４１と掛け金６０とを分離させることができる。これにより、取外し台４１と掛け金６０との結合または分離が便利である。
【符号の説明】
【００１７】
１０  ・・・鉤形本体
１１  ・・・開口部
１２  ・・・通穴
２０  ・・・リテーナ
２１  ・・・延長板
２１１・・・滑り溝
２１２・・・可動ピン
２１３・・・固定具
３０  ・・・押え板
３１  ・・・ピン
４０  ・・・取り外し装置
４１  ・・・取り外し台
４１１・・・固定ボール
４２  ・・・押さえ具
４２１・・・収容溝
４２２・・・ねじ山
４３  ・・・安全ナット
５０  ・・・ピン受け
５１  ・・・制限溝
５２  ・・・ねじ込み蓋
５２１・・・固定溝
５３  ・・・取付部
６０  ・・・掛け金
【図１】
0003170942.tif 000003
【図２】
0003170942.tif 000004
【図３】
0003170942.tif 000005
【図４】
0003170942.tif 000006
【図５】
0003170942.tif 000007
【図６】
0003170942.tif 000008
【図７】
0003170942.tif 000009
【図８】
0003170942.tif 000010
【図９】
0003170942.tif 000011
【図１０】
0003170942.tif 000012
【図１１】
0003170942.tif 000013